(57)【特許請求の範囲】
【請求項１】
デュアルモードで動作している移動体端末から遠隔端末への通信を確立するための方法であって、
移動体端末が、遠隔端末に対応する交信先を調べることであって、交信先は、遠隔端末の識別子および記述フィールドを含み、記述フィールドは、識別子が属するカテゴリに対応する第１の記述フィールド文字を含み、交信先が職業上の交信先であることを第１の記述フィールド文字が示すときには、記述フィールドは、遠隔端末が、前記移動体端末が割り当てられている企業に所属しているかどうかを示す第２の記述フィールド文字をさらに含む、調べることと、
移動体端末が、第１の通信確立ルール及び第２の通信確立ルールを決定することであって、第１の通信確立ルールは、第１の記述フィールド文字に基づいており、第１の通信確立ルールは、移動体端末によってアクセス可能である複数の異なるネットワークから通信ネットワークを選択するように構成され、第２の通信確立ルールは、第２の記述フィールド文字に基づいており、第２の通信確立ルールは、第２の記述フィールド文字の非零の前もってセットされた値に基づいて、前記第１の通信確立ルールの処理と同じ処理を行うか又は前記第１の通信確立ルールの処理と別の処理を行うかを移動体端末に命令する、決定することと、
遠隔端末が、第１の通信確立ルールおよび第２の通信確立ルールに従って、通信を確立する要求を選択された通信ネットワークを介して受信することであって、前記第１の通信確立ルールでは、前記第１の記述フィールド文字の第１の非零の前もってセットされた値が第１の値と等しいとき、セルラ無線通信網を介して前記要求が送信されることが指定される、受信することと、
を備える方法。
【請求項２】
第１の通信確立ルールが、移動体端末に、連続して無線ローカルエリアネットワークとセルラ無線通信網を介して要求を送信するように命令することを含む、請求項１に記載の方法。
【請求項３】
第１の通信確立ルールが、無線ローカルエリアネットワークがアクセスできない、またはアクセスが許可されていないとき、セルラ無線通信網に切り換えることを含む、請求項２に記載の方法。
【請求項４】
第１の記述フィールド文字の第１の前もってセットされた値が、私用の交信先に対応する、請求項１に記載の方法。
【請求項５】
第１の記述フィールド文字の第２の前もってセットされた値に関しては、第１の通信の確立ルールは、無線ローカルエリアネットワークを介して要求を送信することを含む、請求項１に記載の方法。
【請求項６】
第１の通信確立ルールは、無線ローカルエリアネットワークがアクセスできないときに、セルラ無線通信網を介して要求を送信することを含む、請求項５に記載の方法。
【請求項７】
第１の記述フィールド文字の第２の前もってセットされた値が、職業上の交信先に対応する、請求項５に記載の方法。
【請求項８】
請求項１から７のいずれか一項に記載の方法の各動作をコンピュータに実行させる、コンピュータプログラム。
【請求項９】
請求項８に記載のコンピュータプログラムが実装された処理ユニットを含む、デュアルモードで動作する移動体端末。
【請求項１０】
移動体端末が、少なくとも２つの記述フィールド文字に基づいて少なくとも２つの通信確立ルールを決定するように構成されている、請求項１に記載の方法。
【請求項１１】
移動体端末が、少なくとも３つの記述フィールド文字に基づいて少なくとも３つの通信確立ルールを決定するように構成されている、請求項１に記載の方法。
【請求項１２】
第２の記述フィールド文字の第２の前もってセットされた値が、外部の交信先に対応する、請求項１０に記載の方法。
【請求項１３】
第２の記述フィールド文字の第２の前もってセットされた値が、外部の交信先に対応する、請求項１１に記載の方法。
【請求項１４】
第３の記述フィールド文字の第３の前もってセットされた値が、短縮された番号に対応する、請求項１１に記載の方法。
【請求項１５】
コンピュータシステムの処理ユニットで実行されるコンピュータプログラムであって、前記コンピュータプログラムは、実行されると、デュアルモードで動作している移動体端末に、
移動体端末が、遠隔端末に対応する交信先を調べることであって、交信先は、遠隔端末の識別子および記述フィールドを含み、記述フィールドは、識別子が属するカテゴリに対応する第１の記述フィールド文字を含み、交信先が職業上の交信先であることを第１の記述フィールド文字が示すときには、記述フィールドは、遠隔端末が、前記移動体端末が割り当てられている企業に所属しているかどうかを示す第２の記述フィールド文字をさらに含む、調べることと、
移動体端末が、第１の通信確立ルール及び第２の通信確立ルールを決定することであって、第１の通信確立ルールは、第１の記述フィールド文字に基づいており、第１の通信確立ルールは、移動体端末によってアクセス可能である複数の異なるネットワークから通信ネットワークを選択するように構成され、第２の通信確立ルールは、第２の記述フィールド文字に基づいており、第２の通信確立ルールは、第２の記述フィールド文字の非零の前もってセットされた値に基づいて、前記第１の通信確立ルールの処理と同じ処理を行うか又は前記第１の通信確立ルールの処理と別の処理を行うかを移動体端末に命令する、決定することと、
遠隔端末が、第１の通信確立ルールおよび第２の通信確立ルールに従って、通信を確立する要求を選択された通信ネットワークを介して受信することであって、前記第１の通信確立ルールでは、前記第１の記述フィールド文字の第１の非零の前もってセットされた値が第１の値と等しいとき、セルラ無線通信網を介して前記要求が送信されることが指定される、受信することと、
によって、遠隔端末に対して通信を確立するように動作させるコンピュータコードを含む、コンピュータプログラム。
【請求項１６】
デュアルモードで動作している移動体端末であって、
コンピュータプログラムコードが実装された処理ユニットを備え、
コンピュータプログラムコードは、実行されると、移動体端末に、
遠隔端末に対応する交信先を調べることであって、交信先は、遠隔端末の識別子および記述フィールドを含み、記述フィールドは、識別子が属するカテゴリに対応する第１の記述フィールド文字を含み、交信先が職業上の交信先であることを第１の記述フィールド文字が示すときには、記述フィールドは、遠隔端末が、前記移動体端末が割り当てられている企業に所属しているかどうかを示す第２の記述フィールド文字をさらに含む、調べることと、
第１の通信確立ルール及び第２の通信確立ルールを決定することであって、第１の通信確立ルールは、第１の記述フィールド文字に基づいており、第１の通信確立ルールは、移動体端末によってアクセス可能である複数の異なるネットワークから通信ネットワークを選択するように構成され、第２の通信確立ルールは、第２の記述フィールド文字に基づいており、第２の通信確立ルールは、第２の記述フィールド文字の非零の前もってセットされた値に基づいて、前記第１の通信確立ルールの処理と同じ処理を行うか又は前記第１の通信確立ルールの処理と別の処理を行うかを移動体端末に命令する、決定することと、
第１の通信確立ルールおよび第２の通信確立ルールに従って、通信を確立する要求を選択された通信ネットワークを介して送信することであって、前記第１の通信確立ルールでは、前記第１の記述フィールド文字の第１の非零の前もってセットされた値が第１の値と等しいとき、セルラ無線通信網を介して前記要求が送信されることが指定される、送信することと、
によって、遠隔端末に対して通信を確立するように動作させる、移動体端末。
【発明の詳細な説明】
【技術分野】
【０００１】
本発明は、電気通信の分野に関し、より詳細には、セルラ無線通信網（ＧＳＭ／ＧＰＲＳのような第２世代のもの、またはＵＭＴＳのような第３世代のもの）、およびＩＥＥＥ８０２．１１規格の要件に従った、ＷｉＦｉのようなＷＬＡＮ（Ｗｉｒｅｌｅｓｓ  Ｌｏｃａｌ  Ａｒｅａ  Ｎｅｔｗｏｒｋ）など、異なるタイプの無線ネットワークと無線により接続されることが可能である、デュアルモードで動作する移動体端末を含む無線電気通信の分野に関する。
【背景技術】
【０００２】
デュアルタイプの移動体端末は、ユーザが、（詳細にはネットワークのうちの１つがアクセスできないとき）アクセスできるネットワークのタイプに適応するため、またはＷｉＦｉ網による転送が、加入を必要とするセルラ網による転送よりも経済的であることがわかる場合があるとき、加入に関連する理由のためなど、通信を確立するために接続することを望むネットワークのタイプを選択できるようにするという利点を有する。
【０００３】
しかし実際には、通信を確立するとき、ユーザは常に端末の動作モードを選択しなければならず、これが中長期にはもどかしく感じる可能性があり、２つのタイプのネットワークの間で選択することができるというユーザにとっての利点は問題があると判明する可能性がある。
【０００４】
ユーザによって行われるステップを削減するために、諸解決法が提案されてきた。１つの例は、仏国特許出願第ＦＲ  ２  ８６６  １８４号であり、これは、端末が所定の基準に基づいて選択を行うようにして、アクセスポイントにより端末に提供されるネットワークのパフォーマンスに基づいて通信に最適なネットワークを選択することを提案する。
【０００５】
このような解決法は、特に端末から発せられた呼の受信者がすべて、加入者によって、またはビジネス用電話サービスの環境においては加入者の雇用主によって支払われる単一の固定価格でカバーされる同じカテゴリに属するとき、一部の特定の使用に対しては全く満足のいくものである。
【０００６】
しかしながら、雇用主がビジネス用電話サービスへのアクセスを許可した多くのユーザが、その端末を使用して私用通話を行っていることが明らかになってきた。原則として多くの雇用主はこの行いに対する難点を認識していないが、一部の雇用主は、ビジネス網のリソースをその被雇用者によって私用目的で利用されることが助長されてはならないと感じている。呼制御および／またはフィルタリング方策が設けられることが可能であるが、被雇用者に嫌がられるだけでなく、強力な（また結果として費用のかかる）分析および／またはフィルタリング手段が必要とされる。
【０００７】
知られている解決法は、この難点を補うことができず、ユーザ自身が端末からネットワークのタイプを選択するかどうか、または前述の特許出願に記載される動作モードに従ってこれが端末によって自動的に行われるかどうかにかかわらず、雇用主がある呼番号にフィルタを設けたとき、これは非効率的であることがわかっており、したがってデュアルモードはその魅力を失う。
【先行技術文献】
【特許文献】
【０００８】
【特許文献１】仏国特許出願公開第２  ８６６  １８４号明細書
【非特許文献】
【０００９】
【非特許文献１】「Ｔｅｌｅｐｈｏｎｅｓ  ＧＳＭ  ｅｔ  ＰＣ」、Ｐａｔｒｉｃｋ  Ｇｕｅｕｌｅ、ＥＴＳＦ、第３版、２００６
【発明の概要】
【発明が解決しようとする課題】
【００１０】
本発明の目的は、デュアルモードで動作する端末から、端末自体の中に設定されることが可能である単一の所定のルールに基づいてネットワークを選択することを可能にし、ネットワークリソースの能率化された使用を保証することができる解決法を開示することである。
【課題を解決するための手段】
【００１１】
そのために本発明は、第１の態様によれば、デュアルモードで動作する移動体端末から遠隔端末を対象とした通信を確立するための方法を開示し、該方法は、次の動作を含む：
−  端末は、遠隔端末に対応する交信先であって、遠隔端末の識別子を含んでいる識別フィールドと、識別フィールド内に含まれている識別子が属する所定のカテゴリに対応する少なくとも１つの文字を含んでいる記述フィールドとを含む文字列を含む交信先を調べる。
−  端末は、文字列を分析する。
−  端末は、記述フィールドの値を調べる。
−  上記値に対応する通信を確立するためのルールが決定され、上記ルールは、端末がアクセスできる複数の異なるネットワークの中から通信網が選択されることを含む。
−  識別フィールドの値が調べられる。
−  上記ルールに従って通信を確立するための要求が、選択されたネットワークを介して遠隔端末に送信される。
【００１２】
識別フィールドの第１の前もってセットされた値（例えば私用の交信先に対応する）については、通信確立ルールは、例えばセルラ無線通信網を介して、または続けて無線ローカルエリアネットワークとセルラ無線通信網を介して要求を送信することを含む。無線ローカルエリアネットワークがアクセスできない、または無線ローカルエリアネットワークへのアクセスが許可されていないとき、通信確立ルールは、セルラネットワークへの切り換えを命令することができる。
【００１３】
識別フィールドの第２の前もってセットされた値（例えば職業上の交信先に対応する）については、通信確立ルールは、例えば、好ましくは無線ローカルエリアネットワークを介して、またはこのネットワークがアクセスできないとき、セルラ無線通信網を介して、要求を送信することを含むことができる。
【００１４】
本発明は、第２の態様によれば、情報システムの処理ユニット上に実装されたコンピュータプログラム製品を開示し、上記プログラムは、上述の方法を実装するための命令を含んでいる。
【００１５】
第３の目的によれば、本発明はさらに、このようなコンピュータプログラム製品が実装された処理ユニットを含んでいる、デュアルモードで動作する移動体端末を開示する。
【００１６】
本発明の他の目的および利点は、以下の説明を読み、添付の図面を参照して明らかになるであろう。
【図面の簡単な説明】
【００１７】
【図１】デュアルモードで動作する端末のアーキテクチャを示す概略図である。
【図２】本発明の１つの実施形態により通信を確立するための方法を示すブロック図である。
【発明を実施するための形態】
【００１８】
図１は、デュアルモードで動作するように、すなわち２つの異なる無線網に接続することができるように構成され、このために２つの異なる通信インタフェースを含んでいる移動体通信１を示している。この例では、端末１は、ＧＳＭセルラ無線通信網およびＷｉＦｉ無線ローカルエリアネットワークに接続するように構成され、したがってそれぞれＧＳＭ通信インタフェース２およびＷｉＦｉ通信インタフェース３を含んでいる。こうしたインタフェースは、処理ユニット４によって制御され、処理ユニット４はまた、モニタ５（図示する）、キーボード、マイク、およびイヤホン（図示しない）を含む、端末１のマン／マシンインタフェースも制御する。
【００１９】
端末１の内部アーキテクチャは、本発明の対象として含まれず、したがってさらに説明しない。移動体端末の構成要素およびそれらの構成に関するさらなる詳細については、当業者は特に文献「Ｔｅｌｅｐｈｏｎｅｓ  ＧＳＭ  ｅｔ  ＰＣ」、Ｐａｔｒｉｃｋ  Ｇｕｅｕｌｅ、ＥＴＳＦ、第３版、２００６を参照することができる。
【００２０】
端末１に電源が入るとき、およびその後定期的に、端末１は受信することができる周波数チャネルをスキャンし、アクセスできるネットワークのリスト、およびその中から、許可されたネットワーク、すなわち端末１がアクセスコードを有するネットワークのサブリストを作成する。いくつかのネットワークがアクセス可能であり、かつ許可されるとき、こうしたネットワークのリストは、画面５に表示されることが可能である。
【００２１】
処理ユニット４は、内蔵メモリを含み、この中に内部ディレクトリが交信先のリストを含み、そのそれぞれに対して識別子、または英数字文字列から作成されたＵＲＩ（Ｕｎｉｆｏｒｍ  Ｒｅｓｏｕｒｃｅ  Ｉｄｅｎｔｉｆｉｅｒ）（例えば、０１２３４５６７８９形式の一連の数字で形成される電話番号、またはｔｅｒｍｉｎａｌ＠ｒｅｍｏｔｅ．ｃｏｍ形式の電子メールアドレス）が対応する。また外部ディレクトリは、取り外し可能な形で端末１に挿入されるＳＩＭカードから端末１上にロードされることが可能である。
【００２２】
遠隔端末への接続の前にシグナリング段階が来るが、この中で端末１は、遠隔端末のＵＲＩを含む通信確立要求をネットワークに送信する。要求が遠隔端末に受け入れられると、次に両端末間で通信セッションが確立される。
【００２３】
通信確立要求を送信するために、端末１内でＵＲＩがダイヤルされることが可能である方法は、次のいずれかによる：
−  ディレクトリ内に保存された入力からＵＲＩをロードする。
−  キーボードを使用してＵＲＩを直接打ち込む。
【００２４】
ＵＲＩは、交信先に１対１で対応する文字列の中の、識別フィールドに含まれており、さらに識別フィールドに添える少なくとも１つの記述フィールドを含んでいる。
【００２５】
実際には、交信先は、識別フィールドに添える３つの記述フィールドを含むことができ、それぞれが前もってセットされたディスクリプタのリストの中から選択された１つの文字または一連の文字で作成されたディスクリプタを含み、それぞれが識別フィールド内に含まれているＵＲＩが属する前もってセットされたカテゴリに対応している。
【００２６】
ディスクリプタ（複数可）は、（ディスクリプタ（複数可）を動的に使用して）ＵＲＩを入力する、もしくはＵＲＩをディレクトリから引き出す前にキーボードを直接使用する際に打ち込まれるか、またはＵＲＩのプレフィックスとしてディレクトリに保存され、通信確立要求を作成するとき（ディスクリプタ（複数可）を静的に使用して）ＵＲＩと同時にディレクトリから引き出されることが可能である。
【００２７】
所与のディスクリプタの各値は、端末１の処理ユニット４内にプログラムされた、独自の通信確立ルールに対応し、上記ディスクリプタは、上記値がキーボードを使用して入力された、もしくはディレクトリからロードされた交信先の中で識別されるとき、上記値に従う。
【００２８】
形式的に言えば、記述フィールド（複数可）は、識別フィールドの前にくるのが好ましく、それによって記述フィールド（複数可）は、端末１が識別フィールドの内容を読み取る前でも読み取ることができるプレフィックスを形成する。
【００２９】
第１のディスクリプタは、例えば端末１のユーザと関連する交信先の私用または職業上の性質に対応することができる。この例は、端末１が雇用主によって被雇用者に利用可能にされ、被雇用者の私的生活に属するか、被雇用者の職業上の生活に属する受信者と連絡を取るために使用されることが可能である状況を示している。この例では、第１のディスクリプタに関連するカテゴリは、したがって「私用」および「職業上」（または「プロ」）である。ディスクリプタの前もってセットされた値は、こうしたカテゴリのそれぞれに対応し、例えば私用の交信先には＊（星）、職業上の交信先には＃（ハッシュ）が対応する。
【００３０】
この例を示すと、私用電話の交信先は、次の形式を有する：
＊０１２３４５６７８９
ここで：
−  識別フィールドは、ＵＲＩの０１２３４５６７８９、すなわち交信先に対応する遠隔端末の電話番号を含んでいる。
−  第１の記述フィールドは、交信先の中にプレフィックスとして導入された、ディスクリプタ＊を含んでおり、ＵＲＩ（したがって対応する交信先）が「私用」カテゴリに属することを示している。
【００３１】
同様に、職業上の交信先は次の形式を有する：
＃２３４５６７８９０１
ここで：
−  識別フィールドは、ＵＲＩの２３４５６７８９０１、すなわち交信先に対応する遠隔端末の電話番号を含んでいる。
−  第１の記述フィールドは、ディスクリプタ＃を含み、ＵＲＩが「プロ」カテゴリに属すルことを示している。
【００３２】
第１のディスクリプタの値＊（私用交信先、図２のブロック図におけるツリーの左側の分岐）については、通信確立ルールは、例えば端末１がセルラ無線通信網を介して直接に通信確立要求を送信することである可能性がある。１つの変形では、図２に示すように、ルールは、事前に優先ＷＬＡＮ網（例えばＷｉＦｉ）の利用可能性をチェックすることを含むことができる：
−  このＷＬＡＮ網がアクセス可能である場合には、このネットワークは企業ゲートウェイ（ブロック１００）を通過することによって要求を送信し、この要求は後にセルラ無線通信網（この図には表示されていない）によって送信される可能性がある。
−  このＷＬＡＮ網がアクセスできない（または許可されていない）場合には、セルラ無線通信網へ切り換え、このネットワーク自体はアクセスできると想定し、ナンバリングはＵＲＩから直接に実行される（ブロック１１０）。セルラ網が利用できない場合、接続は確立されない（ブロック１２０）。
【００３３】
第１のディスクリプタの値＃（職業上の交信先ｐｒｏ、図２のブロック図のツリーの右側の分岐）については、通信確立ルールは例えば、ＷＬＡＮ網（例えばＷｉＦｉ）がアクセス可能である場合、端末がこのネットワークを介して通信確立要求を送信することを含むことができる。ＷＬＡＮ網がアクセスできない場合には、ルールは、セルラ無線通信網がアクセス可能であれば、このネットワークへの切り換えを命令することができる（そうでない場合、ネットワークへの接続は確立されない）。
【００３４】
第２のディスクリプタは、例えば位置（端末が要求を送信しているサイトの内側、または反対にそのサイトの外側）および／またはその交信先は端末が割り当てられている企業に所属しているかどうかに対応して、提供されることが可能である。この例では、第２のディスクリプタに関連するカテゴリは、したがって「外側」（または「外」）および「内部」（または「内」）である。ディスクリプタの前もってセットされた値は、こうしたカテゴリのそれぞれに対応し、例えば外側の交信先には＊（星）、内部の交信先には＃（ハッシュ）となる。この例では、第２のディスクリプタの真の存在は、第１のディスクリプタの値によって影響されることが理解される。この状況の下では、第２のディスクリプタの存在は、単に第１のディスクリプタのカテゴリが「プロ」（＃の値）である場合に正当化される。
【００３５】
この例を示すと、職業上の電話の交信先は次の形式を有する：
＃＊０１２３４５６７８９
ここで：
−  識別フィールドは、ＵＲＩの０１２３４５６７８９、すなわち交信先に対応する遠隔端末の電話番号を含んでいる。
−  第１の記述フィールドは、ディスクリプタ＃含み、ＵＲＩ（したがって対応する交信先）がカテゴリ「プロ」に属することを示している。
−  第２の記述フィールドは、ディスクリプタ＊を含み、ＵＲＩがカテゴリ「外」に属することを示している。
【００３６】
同様に、内部の職業上の交信先は次の形式を有する：
＃＃２３４５６７８９０１
ここで：
−  識別フィールドは、ＵＲＩの２３４５６７８９０１、すなわち交信先に対応する遠隔端末の電話番号を含んでいる。
−  第１の記述フィールドは、ディスクリプタ＃を含み、このＵＲＩ（したがって対応する交信先）はカテゴリ「プロ」に属していることを示している。
−  第１の記述フィールドは、ディスクリプタ＃を含んでおり、このＵＲＩがカテゴリ「内」に属することを示している。
【００３７】
第２のディスクリプタの値は、第１の記述フィールドに対応する通信確立ルールの用語に従う通信確立ルールに対応する。
【００３８】
したがって、第２のディスクリプタの値＊に対応する通信確立のルールは、次の代替形態を含むことができる：
−  ＷＬＡＮ網がアクセスできない、およびセルラ無線通信網がアクセスできる場合には、要求はそのネットワークを介して送信され、番号をダイヤルするためにＵＲＩを直接に、および完全に使用し（ブロック２００）、セルラ網がアクセスできない場合、通信は確立されない（ブロック２１０）。
−  ＷＬＡＮ網がアクセスできる場合には、通信確立要求はそのネットワークを介して送信され、ゲートウェイを通って進み（ブロック２２０）、番号をダイヤルするために、従来の呼ルーティングルールに従ってプレフィックスが付け加えられ、例えばＰＡＢＸ（Ｐｒｉｖａｔｅ  Ａｕｔｏｍａｔｉｃ  Ｂｒａｎｃｈ  ｅＸｃｈａｎｇｅ）を通って進む外部の通話にはプレフィックス０を付け加え、国際通話にはプレフィックス００で完全なものにされる可能性がある。
【００３９】
第２のディスクリプタの値が＃（内部の職業上の交信先）であるとき、端末は第３のディスクリプタの値に関連する追加ルールを適用し、例えば第３のディスクリプタの値は、短縮形か長形かの、番号形式に対応する可能性があり、これが識別フィールド内に含まれるＵＲＩに基づいて端末によってダイヤルされる。この例では、第２のディスクリプタに関連するカテゴリは、したがって「短縮」（または「短」）および「長」である。こうしたカテゴリのそれぞれは、前もってセットされたディスクリプタ値に対応し、例えば短縮番号には＊（星）、長形番号には＃（ハッシュ）となる。
【００４０】
この例を説明すると、長形番号を有する内部の職業上の電話交信先は次の形式を有する：
＃＃＊２３４５６７８９０１
ここで：
−  識別フィールドは、ＵＲＩの２３４５６７８９０１、すなわち交信先に対応する遠隔端末の電話番号を含んでいる。
−  第１の記述フィールドは、ディスクリプタ＃を含み、このＵＲＩ（したがって対応する交信先）はカテゴリ「プロ」に属していることを示している。
−  第２の記述フィールドは、ディスクリプタ＃を含み、このＵＲＩがカテゴリ「内」に属することを示している。
−  第３の記述フィールドは、ディスクリプタ＊を含み、このＵＲＩがカテゴリ「長」に属することを示している。
【００４１】
同様に、短縮番号を有する内部の職業上の電話交信先は、次の形式を有する：
＃＃＃７８９０１１
ここで：
−  識別フィールドは、ＵＲＩの７８９０１、すなわち交信先に対応する遠隔端末の電話番号を含んでいる。
−  第１の記述フィールドは、ディスクリプタ＃を含み、このＵＲＩ（したがって対応する交信先）はカテゴリ「プロ」に属していることを示している。
−  第２の記述フィールドは、ディスクリプタ＃を含み、このＵＲＩがカテゴリ「内」に属することを示している。
−  第１の記述フィールドは、ディスクリプタ＃を含み、このＵＲＩがカテゴリ「短」に属することを示している。
【００４２】
第３のディスクリプタの値は、前もってセットされた通信確立ルールに対応する。
【００４３】
したがって、第３のディスクリプタの値＊（長いＵＲＩ）に対応する通信確立ルールは、例えば以下のものを含む：
−  ＷＬＡＮ網がアクセスできる場合には、またセルラ無線通信網がアクセスできる（こうした利用可能性が確認されている上記の状況を参照）場合、要求はセルラ網を介して送信される。要求が内部の交信先に宛てられると、セルラ網によって企業ゲートウェイに送信され、企業ゲートウェイはこれを受信端末にルーティングする任務を負う（ブロック２３０）。交信先は内部であるので、ゲートウェイの後方に位置するネットワークは、短縮されたナンバリングのみに対応するように構成されることが可能であることに注意されたい。ＵＲＩが「長形」であるとき、ゲートウェイはその結果これにフィルタを適用し、例えば単に最後の５桁を保持することができる。上記の例では、完全なＵＲＩは２３４５６７８９０１であるが、これは最終的にゲートウェイによってその最初の５桁を取り去られることになり、結果として短縮された番号は、最後の５桁で形成され、すなわち７８９０１となる。
−  ＷＬＡＮ網がアクセス可能である場合には、通信確立要求はこのネットワークを介して送信され、企業ゲートウェイを通って進む（ブロック２４０）。ネットワークが単に短縮されたナンバリングに対応する場合、端末１は、短縮された番号をダイヤルするためにＵＲＩにフィルタを適用し、必要のない文字（例えば、最後の５桁、７８９０１のみを残すために、最初の５文字、２３４５６）を取り去る。
【００４４】
第３のディスクリプタの値＃（短縮されたＵＲＩ）に対応する通信確立ルールは、端末１に対して以下のものを含む：
−  ＷＬＡＮ網がアクセス可能である場合、およびセルラ無線通信網がアクセス可能である（こうした利用可能性が確認されている上記の状況を参照）場合、要求はセルラ網を介して送信される。ＵＲＩが短縮されているとき、端末はセルラ網に接続するためにこれを直接使用することができないが、完全な番号に対応するプレフィックスを追加しなければならない（ブロック２５０）。この状況下では端末は、番号２３４５６７８９０１をダイヤルするために、プレフィックス２３４５６をＵＲＩの７８９０１に追加する。しかしながら、交信先が内部に位置しているとき、ゲートウェイの後方に位置しているネットワークは、短縮されたナンバリングのみに対応するように構成されることが可能である。結果として、ゲートウェイは、完全な番号にフィルタを適用し、例えば最後の５桁（実際には最初に端末によって調べられたときＵＲＩに対応した）を保持することができる。
−  ＷＬＡＮ網がアクセス可能である場合には、通信確立要求はこのネットワークを介して送信され、企業ゲートウェイを通って進む（ブロック２６０）。ネットワークが短縮されたナンバリングに対応する場合、端末１は、ＵＲＩに基づいて直接ナンバリングを実行し、通信は企業ゲートウェイによってフィルタにかけられることなく進む。
【００４５】
通信を確立するために、端末１は、キーボードを使用して打ち込まれる、またはディレクトリから引き出される受信交信先を調べることから始める。
【００４６】
交信先は、端末１によって分析され、端末１は記述フィールド内でディスクリプタの値を調べ、対応する通信確立ルールを判断する。
【００４７】
端末１はまた、識別フィールド内のＵＲＩを調べ、ディスクリプタまたはディスクリプタの組合せに対応する通信確立ルールに従って遠隔端末に通信確立要求を送信する。上述したのは例示的ルールである。他のルールは、利用できるネットワークの構成およびこうしたネットワークの運営ルール（特にナンバリングに関する）に応じて、提供されることが可能である。
【００４８】
この方法は、端末１の処理ユニット４にインストールされたコンピュータプログラムの命令に従って実行される。こうした命令は、上記のように、詳細には通信確立ルールのすべてを含んでいる。
【００４９】
この方法の結果として、通信が通過しなければならないネットワークをユーザが選択する必要がなく、端末自体が交信先のＵＲＩと関連するディスクリプタの値に基づいた選択を行って、デュアルモードで端末を使用することが可能である。同様に、ユーザはナンバリングの必要条件（短縮型、長形）によって制約されない。
【００５０】
さらに、ディスクリプタのない交信先（すなわちＵＲＩのみで形成されたもの）のディレクトリに基づいて、前もってセットされたルールに従ってＵＲＩのディスクリプタを割り当てることによってディレクトリを自動的に展開することが可能である。例えば、雇用主は、前もってセットされた通信確立ルールが求める内部の交信先に対応するとみなされるＵＲＩのリストを作成することができる。端末のディレクトリの中の対応するＵＲＩは、したがってディスクリプタ＃を割り当てられ、他のＵＲＩはディスクリプタ＊を割り当てられる。他のディスクリプタの挿入は、上述の前もってセットされたルールに基づいて、同様の方法で実行されることが可能である。
【図１】
0005520285.tif 000002
【図２】
0005520285.tif 000003